【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
加入者ステーションが、ある期間内に複数の移行イベントをモニタするステップであって、前記加入者ステーションは、前記複数の移行イベント中に無線通信ネットワークに係る複数のノードの２つのノードの間で移行する、前記モニタするステップと、
前記加入者ステーションが、前記期間中にモニタされた前記複数の移行イベントが所定の閾値を超えたと判断するステップと、
前記加入者ステーションが、前記複数の移行イベントに係る移行イベント情報を有するローミング管理リクエストを生成するステップと、
前記加入者ステーションが、前記無線通信ネットワークに係る前記複数のノードのノードが前記加入者ステーションによるさらなる移行イベントを減少させるよう前記ノードの１以上のコンフィギュレーションを調整することを可能にするため、前記ローミング管理リクエストを前記ノードに送信するステップと、
前記加入者ステーションが、さらなる移行イベントを減少させるための前記加入者ステーションのコンフィギュレーション情報を含むローミング管理レスポンスを前記ノードから受信するステップと、
を有する方法。
【請求項２】
前記ローミング管理リクエストを生成するステップは、前記１以上の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することを含む、請求項１記載の方法。
【請求項３】
前記移行イベント情報を生成するため、前記複数の移行イベントのそれぞれに係る情報を記録するステップをさらに有する、請求項１記載の方法。
【請求項４】
前記ローミング管理リクエストを生成する前、前記加入者ステーションのローミングヒステリシスを増大させるステップをさらに有する、請求項１記載の方法。
【請求項５】
前記送信するステップは、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信することを有する、請求項１記載の方法。
【請求項６】
前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整するステップをさらに有し、
前記コンフィギュレーション情報は、送信電力、ローミングヒステリシス、受信感度、クリアチャネル評価又はローミング候補の少なくとも１つに係る情報を有する、請求項１記載の方法。
【請求項７】
アクセス時にマシーンに、
ある期間内に加入者ステーションの複数の移行イベントをモニタするステップであって、前記加入者ステーションは、各移行イベント中に無線通信ネットワークに係る複数のノードの２以上のノードの間で移行する、前記モニタするステップと、
前記期間中にモニタされた前記複数の移行イベントが所定の閾値を超えたと判断するステップと、
前記加入者ステーションにおいて、前記１以上の移行イベントに係る移行イベント情報を有するローミング管理リクエストを生成するステップと、
前記無線通信ネットワークに係る前記複数のノードのノードがさらなる移行イベントを減少させるよう前記ノードの１以上のコンフィギュレーションを調整することを可能にするため、前記ローミング管理リクエストを前記ノードに送信するステップと、
さらなる移行イベントを減少させるための前記加入者ステーションのコンフィギュレーション情報を含むローミング管理レスポンスを前記ノードから受信するステップと、
を実行させるマシーンアクセス可能な命令を格納するマシーンアクセス可能な媒体。
【請求項８】
前記ローミング管理リクエストを生成するステップはさらに、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することを含む、請求項７記載の媒体。
【請求項９】
前記マシーンアクセス可能な命令は、アクセス時に前記マシーンに、前記ローミング管理リクエストを生成する前、前記加入者ステーションのローミングヒステリシスを増大させるステップをさらに実行させる、請求項７記載の媒体。
【請求項１０】
前記ローミング管理リクエストを送信するステップは、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信することを有する、請求項７記載の媒体。
【請求項１１】
前記マシーンアクセス可能な命令は、アクセス時に前記マシーンに、前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整するステップをさらに実行させ、
前記コンフィギュレーション情報は、送信電力、ローミングヒステリシス、受信感度、クリアチャネル評価又はローミング候補の少なくとも１つに係る情報を有する、請求項７記載の媒体。
【請求項１２】
ある期間内に加入者ステーションの複数の移行イベントをモニタし、前記期間中にモニタされた前記複数の移行イベントが所定の閾値を超えたと判断する移行モニタであって、前記加入者ステーションは、各移行イベント中に無線通信ネットワークに係る複数のノードの２以上のノードの間で移行する、前記移行モニタと、
前記移行モニタに動作接続され、前記複数の移行イベントに係る移行イベント情報を有するローミング管理リクエストを前記加入者ステーションにおいて生成するリクエスト生成手段と、
前記リクエスト生成手段に動作接続され、前記無線通信ネットワークのノードが前記加入者ステーションのさらなる移行イベントを減少させるため前記ノードの１以上のコンフィギュレーションを調整することを可能にするため、前記ローミング管理リクエストを前記ノードに送信し、さらなる移行イベントを減少させるため前記加入者ステーションのコンフィギュレーション情報を含むローミング管理レスポンスを受信するネットワークインタフェース装置と、
を有する装置。
【請求項１３】
前記リクエスト生成手段は、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成するよう構成される、請求項１２記載の装置。
【請求項１４】
前記ネットワークインタフェース装置は、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信する、請求項１２記載の装置。
【請求項１５】
前記リクエスト生成手段が前記ローミング管理リクエストを生成する前に、前記加入者ステーションのローミングヒステリシスを増大させるコンフィギュレーション調整手段をさらに有する、請求項１２記載の装置。
【請求項１６】
前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整するコンフィギュレーション調整手段をさらに有し、
前記コンフィギュレーション情報は、送信電力、ローミングヒステリシス、受信感度、クリアチャネル評価又はローミング候補の少なくとも１つに係る情報を有する、請求項１２記載の装置。
【請求項１７】
全方向性アンテナと、
前記アンテナに動作接続され、ある期間内に加入者ステーションの複数の移行イベントをモニタし、前記期間中にモニタされた前記複数の移行イベントが所定の閾値を超えたと判断し、前記加入者ステーションにおいてローミング管理リクエストを生成し、受信したローミング管理レスポンスを処理するプロセッサと、
を有するシステムであって、
前記加入者ステーションは、各移行イベント中に無線通信ネットワークに係る複数のノードの２以上のノードの間で移行し、
前記ローミング管理リクエストは、前記１以上の移行イベントに係る移行イベント情報を含み、
前記ローミング管理レスポンスは、さらなる移行イベントを減少させるため前記加入者ステーションのコンフィギュレーション情報を含むシステム。
【請求項１８】
前記プロセッサは、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成するよう構成される、請求項１７記載のシステム。
【請求項１９】
前記プロセッサは、前記ローミング管理リクエストの生成前に前記加入者ステーションのローミングヒステリシスを増大させるよう構成される、請求項１７記載のシステム。
【請求項２０】
前記コンフィギュレーション情報は、送信電力、ローミングヒステリシス、受信感度、クリアチャネル評価又はローミング候補の少なくとも１つに係る情報を含む、請求項１７記載のシステム。
【請求項２１】
ノードコントローラが、無線通信ネットワークに係る複数のノードのノードから頻繁なハンドオーバの回避リクエストを受信するステップであって、前記頻繁なハンドオーバの回避リクエストは、加入者ステーションの１以上の移行イベントに係る移行イベント情報を有し、前記加入者ステーションは、各移行イベント中に前記無線通信ネットワークに係る前記複数のノードの２つのノードの間で移行する、前記受信するステップと、
前記ノードコントローラが、前記無線通信ネットワークに係る前記複数のノードの１以上の近傍ノードを調整するステップであって、前記近傍ノードは、前記加入者ステーションに現在サービスを提供しているノードの近傍である、前記調整するステップと、
前記加入者ステーションの１以上のコンフィギュレーションを調整するため、前記加入者ステーションのコンフィギュレーション情報を生成するステップと、
前記加入者ステーションがさらなる移行イベントを減少させることを可能にするため、ローミング管理レスポンスを介し前記コンフィギュレーション情報を前記加入者ステーションに送信するステップと、
を有する方法。
【請求項２２】
前記１以上の近傍ノードを調整するステップは、前記１以上の近傍ノードの送信電力、ローミングヒステリシス、受信感度又はクリアチャネル評価の少なくとも１つを調整することを含む、請求項２１記載の方法。
【請求項２３】
前記加入者ステーション、前記加入者ステーションと通信中のノード又は前記加入者ステーションと通信中のノードの近傍ノードの少なくとも１つのコンフィギュレーション情報を有する頻繁なハンドオーバの回避レスポンスを生成するステップをさらに有する、請求項２１記載の方法。
【請求項２４】
前記送信するステップは、送信電力、ローミングヒステリシス、受信感度、クリアチャネル評価又はローミング候補の少なくとも１つに係る情報を有するコンフィギュレーション情報を送信することを含む、請求項２１記載の方法。
【請求項２５】
前記複数のノードは、ＷＬＡＮに係るアクセスポイント、ＷＭＡＮに係る基地局、ＷＷＡＮに係る基地局又は無線メッシュネットワークに係る他の加入者ステーションの少なくとも１つを有する、請求項２１記載の方法。